(57)【要約】【課題】竹繊維が有する特徴を化粧綿に活かし、肌にやさしく安全であるとともに、肌触りもよく吸水性に優れ、さらに、抗菌・消臭作用を備えて衛生面にも優れた新規な化粧綿を提供する。【解決手段】一又は複数種類の天然繊維をシート状に形成した不織布が少なくとも１以上積層された内層部２０及び外層部３０とからなる化粧綿１０であって、前記外層部３０が綿繊維と竹繊維とを混綿した不織布３５によって構成されていることを特徴とする。【選択図】図１
0003105037.tif 000002
【実用新案登録請求の範囲】
【請求項１】
一又は複数種類の天然繊維をシート状に形成した不織布が少なくとも１以上積層された内層部及び外層部とからなる化粧綿であって、前記外層部が綿繊維と竹繊維とを混綿した不織布によって構成されていることを特徴とする化粧綿。
【請求項２】
前記外層部の綿繊維と竹繊維との重量比が、綿繊維５５〜９０重量％、竹繊維１０〜４５重量％である請求項１に記載の化粧綿。
【請求項３】
前記外層部の綿繊維の繊度が２．８〜５．５デニール、竹繊維の繊度が１．４〜２．８デニールである請求項１又は２に記載の化粧綿。
【請求項４】
前記外層部の綿繊維と竹繊維の繊維長がそれぞれ２８〜４５ｍｍである請求項１ないし３のいずれか１項に記載の化粧綿。
【請求項５】
前記内層部及び外層部の全層換算の目付量が９０〜３００ｇ／ｍ2である請求項１ないし４のいずれか１項に記載の化粧綿。
【考案の詳細な説明】
【技術分野】
【０００１】
本考案は、化粧，化粧落とし等に使用する化粧綿に関し、特に一又は複数種類の天然繊維をシート状に形成した不織布が少なくとも１以上積層された内層部及び外層部とからなる化粧綿に関する。
【背景技術】
【０００２】
従来、化粧，化粧落とし等に使用する化粧綿は、種々の繊維素材を用いてシート状に形成した不織布とし、このシート状の不織布を折り返したり重ねたりして少なくとも１以上積層させて、クレンジング液等の化粧水を吸水する内層部と、実際に肌に接触する外層部とに構成するものが一般的である。
【０００３】
このような化粧綿にあっては、内層部は吸水性に優れた綿繊維等の天然繊維をシート状の不織布として積層し、外層部は綿繊維等の天然繊維に合成繊維を混綿したり、化学薬品（接着剤）を塗布する等してシート状の不織布として積層することが知られている。これにより、吸水性がよく、毛羽立ちが抑制されて肌に繊維が残らず、肌触りのよい化粧綿を比較的安価に提供することが可能となっている。しかしながら、上記のような従来の化粧綿では、合成繊維や化学薬品等が含まれた外層部が直接肌と接触するため、肌が黒ずんだり肌荒れ等が生じるおそれがあり、安全面に問題があった。そのため、消費者は、合成繊維等が使用されていない天然繊維１００％の化粧綿を好む傾向にある。
【０００４】
ところで、近年では、天然の繊維素材において、竹を原料とする繊維が注目されている。この竹繊維は、吸水性に優れ、抗菌・消臭作用を有することで知られ、さらに、比較的短期間での再生産が可能で伐採抑制等の資源問題の点でも有利な特徴を有しており、衣類等の様々な製品に利用されている（例えば、特許第３４４８５２６号公報参照。）。そこで、本考案者は、竹繊維を化粧綿に用いることを見出し、該竹繊維が有する特徴を活かした新規な化粧綿を考案するに至った。
【考案の開示】
【考案が解決しようとする課題】
【０００５】
本考案は前記の点に鑑みなされたものであり、竹繊維が有する特徴を化粧綿に活かし、肌にやさしく安全であるとともに、肌触りもよく吸水性に優れ、さらに、抗菌・消臭作用を備えて衛生面にも優れた新規な化粧綿を提供するものである。
【課題を解決するための手段】
【０００６】
すなわち、請求項１の考案は、一又は複数種類の天然繊維をシート状に形成した不織布が少なくとも１以上積層された内層部及び外層部とからなる化粧綿であって、前記外層部が綿繊維と竹繊維とを混綿した不織布によって構成されていることを特徴とする化粧綿に係る。
【０００７】
請求項２の考案は、前記外層部の綿繊維と竹繊維との重量比が、綿繊維５５〜９０重量％、竹繊維１０〜４５重量％である請求項１に記載の化粧綿に係る。
【０００８】
請求項３の考案は、前記外層部の綿繊維の繊度が２．８〜５．５デニール、竹繊維の繊度が１．４〜２．８デニールである請求項１又は２に記載の化粧綿に係る。
【０００９】
請求項４の考案は、前記外層部の綿繊維と竹繊維の繊維長がそれぞれ２８〜４５ｍｍである請求項１ないし３のいずれか１項に記載の化粧綿に係る。
【００１０】
請求項５の考案は、前記内層部及び外層部の全層換算の目付量が９０〜３００ｇ／ｍ2である請求項１ないし４のいずれか１項に記載の化粧綿に係る。
【考案の効果】
【００１１】
請求項１の考案によれば、一又は複数種類の天然繊維をシート状に形成した不織布が少なくとも１以上積層された内層部及び外層部とからなる化粧綿であって、前記外層部が綿繊維と竹繊維とを混綿した不織布によって構成されているため、肌にやさしく安全であるとともに、肌触りもよく吸水性に優れ、さらに、抗菌・消臭作用を備えて衛生面にも優れた新規な化粧綿を提供することができる。
【００１２】
請求項２の考案によれば、請求項１において、前記外層部の綿繊維と竹繊維との重量比が、綿繊維５５〜９０重量％、竹繊維１０〜４５重量％であるため、前記綿繊維と竹繊維とが程良く絡み合い、型くずれを防止することができる。
【００１３】
請求項３の考案によれば、請求項１又は２において、前記外層部の綿繊維の繊度が２．８〜５．５デニール、竹繊維の繊度が１．４〜２．８デニールであるため、化粧綿の表面を平らにすることができ、使用時の肌触りをよくすることができる。
【００１４】
請求項４の考案によれば、請求項１ないし３のいずれか１項において、前記外層部の綿繊維と竹繊維の繊維長がそれぞれ２８〜４５ｍｍであるため、各繊維の毛羽立ちを抑制することができる。
【００１５】
請求項５の考案によれば、請求項１ないし４のいずれか１項において、前記内層部及び外層部の全層換算の目付量が９０〜３００ｇ／ｍ2であるため、適度な厚みと弾力を得ることができる。
【考案を実施するための最良の形態】
【００１６】
以下添付の図面に従ってこの考案を詳細に説明する。
図１はこの考案の化粧綿の断面図である。
【００１７】
図１に示すように、この考案の化粧綿１０は、一又は複数種類の天然繊維をシート状に形成した不織布が少なくとも１以上積層された内層部２０及び外層部３０とからなるものであって、前記外層部３０が綿繊維と竹繊維とを混綿した不織布３５によって構成されていることを特徴とする。実施例において、当該化粧綿１０の内層部２０は、クレンジング液等の化粧水を十分に吸水できるように、綿繊維からなる不織布２５を所定枚数積層して構成されている。一方、外層部３０は、前記内層部２０の表裏両面に形成されて使用時に肌に直接接触するように構成され、前述のように、綿繊維と竹繊維とを混綿した不織布３５が所定枚数積層される。なお、この考案の化粧綿１０では、例えばサーマルボンド法等の公知の製法によって、内層部２０及び外層部３０の各不織布２５，３５が形成される。
【００１８】
また、外層部３０において、綿繊維と竹繊維は適宜の割合で混綿されて不織布が形成されるが、請求項２の考案として規定したように、綿繊維５５〜９０重量％、竹繊維１０〜４５重量％となるように混綿することが好ましい。この割合で綿繊維と竹繊維とを混綿することにより、該綿繊維と竹繊維とが程良く絡み合って、型くずれ等を防止することができる。
【００１９】
さらに、混綿する綿繊維と竹繊維の各々の繊維の太さ（繊度）は、綿繊維よりも竹繊維を細くするのが好ましく、特に、請求項３の考案として規定したように、綿繊維の繊度を２．８〜５．５デニール、竹繊維の繊度を１．４〜２．８デニールとするとよい。このように構成することにより、化粧綿の表面を平らにすることができ、使用時の肌触りをよくすることができる。
【００２０】
混綿する綿繊維と竹繊維の各繊維長については、ほぼ同一の長さになるように構成することが好ましい。特に、請求項４の考案として規定したように、それぞれ２８〜４５ｍｍとするのがよい。このように、綿繊維と竹繊維の各繊維長がほぼ同一であるため、各繊維の毛羽立ちを抑制することができ、使用時に肌に繊維が残らない。
【００２１】
また、本考案の化粧綿１０にあっては、請求項５の考案として規定したように、内層部及び外層部の全層換算の目付量を９０〜３００ｇ／ｍ2とすることが好ましい。これにより適度な厚みと弾力を得ることができる。なお、この化粧綿１０において、外層部３０は内層部２０の表裏両面を十分に被覆できる程度の厚みがあればよく、その目付量は４２〜８０ｇ／ｍ2（一側の外部層の目付量は２１〜４０ｇ／ｍ2）である。
【００２２】
このように、使用時に肌に接触する外層部が天然繊維である綿繊維と竹繊維とからなるため、使用時に肌荒れ等が生じにくくなり、安全である。また、外層部が竹繊維を含んでいるため、本考案の化粧綿では、竹繊維が有する優れた吸水性や抗菌・消臭作用等の効果を奏することができる。
【図面の簡単な説明】
【００２３】
【図１】この考案の化粧綿の断面図である。
【符号の説明】
【００２４】
１０  化粧綿
２０  内層部
２５  綿繊維からなる不織布
３０  外層部
３５  綿繊維と竹繊維とを混綿した不織布
【図１】
0003105037.tif 000003